(57)【要約】【課題】尿取りパッドを備えた使い捨ておむつ等の吸収物品において、尿漏れを防止するとともに前記尿取りパッドの取り替えを容易に行う。【解決手段】使い捨ておむつ本体の股下部に開口部を設けると共に、この開口部を覆うように外側から尿取りパッド３０を取り付ける。尿取りパッド３０は両側にウイング３４を備え、このウイング３４の側縁に例えば感圧粘着層３８を設け、ウイングを使い捨ておむつ本体の脚部開孔から折り返して、その内面、即ち表面シートの表面に取り外し自在に接着する。また、尿取りパッド３０の表面の取付部３９をおむつ本体２０の外面に取付する。【選択図】          図５
2006102321.tif 000002
【特許請求の範囲】
【請求項１】
着用者の腹側に位置する腹側部と、背側に位置する背側部と、腹側部と背側部間で着用者の股下に位置する股下部とを備え、かつ該股下部に開口部を有する外包体と、前記開口部を外包体の外側から覆うよう前記外包体に取り外し自在に装着する吸収性パッドとからなる吸収性物品であって、
前記吸収性パッドはその長手方向両側部にウイングを有し、該ウイングを外包体の脚開孔部から股下側に折り返し、前記ウイングの折り返し部分を外包体内面に取付したことを特徴とする吸収性物品。
【請求項２】
着用者の腹側に位置する腹側部と、背側に位置する背側部と、腹側部と背側部間で着用者の股下に位置する股下部とを備え、かつ該股下部に開口部を有する外包体と、前記開口部を外側から覆うよう前記外包体に取り外し自在に取付する吸収性パッドとからなる吸収性物品であって、
前記開口部とは別の開口部を有するセンターシートを、ウイングを備えた外包体外面に対し、前記各開口位置を合わせかつセンターシートの両側端側に少なくとも前記ウイングの取付面を残して接合し、
前記ウイング先端縁を前記センターシート端縁で折り返し、該折り返し部分を前記センターシート内面に取り付けたことを特徴とする吸収性物品。
【請求項３】
請求項１又は２に記載された吸収性物品において、
前記吸収性パッドの液吸収面側と同じ側の前記ウイング面に取付手段を備えたことを特徴とする吸収性物品。
【請求項４】
請求項１ないし３のいずれかに記載された吸収性物品において、
前記吸収性パッド表面に取付手段を備えたことを特徴とする吸収性物品。
【請求項５】
請求項４に記載された吸収性物品において、
前記外包体の外面に吸収性パッドの表面に設けた前記取付手段と接合するための取付手段を備えたことを特徴とする吸収性物品。
【請求項６】
請求項４に記載された吸収性物品において、
前記センターシートの外面に吸収性パッドの表面に設けた前記取付手段と接合するための取付手段を備えたことを特徴とする吸収性物品。
【請求項７】
請求項１ないし６のいずれかに記載された吸収性物品において、
前記ウイングは伸縮性を有することを特徴とする吸収性物品。
【請求項８】
請求項１ないし７のいずれかに記載された吸収性物品において、
前記ウイングは吸収性パッドの長手方向両側面に設けられたそれぞれ複数のウイングからなることを特徴とする吸収性物品。
【請求項９】
請求項１ないし８のいずれかに記載された吸収性物品において、
前記吸収性パッドの裏面シート側に排泄物の水分が吸収されたことを表示する表示手段を備えたことを特徴とする吸収性物品。
【発明の詳細な説明】
【技術分野】
【０００１】
本発明は、排尿の処理等に伴う労力的、精神的及び経済的な負担を軽減できる吸収性物品、とくに、尿取りパッド（失禁パッド）、生理用パッド等吸収性パッドを備えた吸収性物品に関するものである。
【背景技術】
【０００２】
おむつ交換の交換作業、とくに身体の自由が利かず介護を必要とする老人や病人などのおむつの取り替えは、例えば、図１５に示すように、体を横向きにして汚れたおむつを要介護者の下から引き出し、次に新しいおむつを引き込んで装着するようにしているため、とくに重労働であり、それを毎日何回も繰り返すことは精神的にもきつい作業である。
また、おむつの交換は排尿に伴ってその一部がよごれた場合でもおむつ全体を交換するため、その経済的負担が大きいばかりではなく廃棄物の量が増大するという問題もある。
【０００３】
そこで、おむつに補助吸収体又は吸収性パッドを併用して、排尿のあったときは、これを補助吸収体で吸収してこの補助吸収体のみを取り替え可能とし、おむつの交換は、排便時などおむつ自体が汚れた時のみ行なうようにしたものも開発されている。
しかしながら、補助吸収体をおむつの内表面側に配置しただけでは、その交換のために、一旦おむつを外して汚れた補助吸収体を取り出すことが必要で、おむつ全体を交換するものに比べて経済的には有利ではあるが、その交換に要する労力的或いは精神的負担はとくに軽減されるわけではなく、問題を完全に解決し得るものではなかった。
【０００４】
そこで、この問題を解決すべく、おむつを外さずに補助吸収体のみを取り替えできるように、使い捨てパンツの前部中央に開口を設け、その開孔を開閉可能なシート状の蓋部材で覆う構成とし、補助吸収体の取替えは、その蓋部材を開いておむつ本体の開孔から汚れた補助吸収体を取り出し、未使用のものをおむつ内に配置できるようにしたものが開発されている（特許文献１参照）。
【０００５】
また、おむつの前部又は後部パネルにアパーチャ（開口）を形成し、このアパーチャに複数のパネル部材（補助吸収体）を収容した後部シート（裏面シート）にポケットを固定し、おむつ中央部で吸収した体液を吸収するための複数のパネル部材を収容し、各パネル部材は引っ張りタブを引っ張るごとに、体液で飽和したパネル部材を一枚づつ前記ポケットから引き出し、代わりに未使用のパネル部材を露出させるようにしているものも知られている（特許文献２参照）。
【０００６】
更に、補助吸収体の取り替えを一層容易にするため、取り替え用の補助吸収体をおむつ内に設けずに外付けとしたものも提案されている（特許文献３）。これは、前身頃Ａ、後見頃Ｂ及び両者間に位置する股下部Ｃからなり、前見頃Ａと後見頃Ｂとが両側部で相互に接合される構造の使い捨てパンツにおいて、前記股下部Ｃに股下開口部を設け、この股下開口部を外側から塞ぐように、パンツ本体に対して着脱自在に取り付けられる吸収性パッドを備えている。この構成において、パンツ本体の股下開口部の内側面に備わっている左右側部の第１係合部を吸収性パッドの外面側に係合固定する。
【０００７】
同様に補助吸収体を外付けするものとして、吸収性パッドをパンツ本体に対して着脱自在に取り付けたパンツ型の補助具と補助吸収体となる外装吸収部とから構成し、前記パンツ型の補助具には部分的に通液部が形成された吸収体が配置され、外装吸収部は補助具の外表面側に取付し、外装吸収部に対する液の移行を安定的に行い、外装吸収部に排尿があったとき、これをパンツ型補助具から外して取り替えるようにしている。（特許文献４参照）
【０００８】
しかしながら、特許文献１に記載された使い捨てパンツでは、そもそも股間は狭いので補助吸収体をおむつに出し入れして取り替えるのは容易ではなく、また、補助吸収体を股間から尿が染み出さないように取り付けることも困難である。
また、特許文献２に記載されたおむつ（吸収性物品）では、尿を吸収したパネル部材を前記ポケットから一つずつ引き出すだけで未使用のパネル部材と交換することができ、特許文献１に記載されたもののようにその都度補助吸収体をおむつ内にセットする必要はない。しかし、パネル部材（補助吸収体）を収容したポケットを腹側部或いは背側部の後部シートに固定する構造であって、股間部分にはパネル部材（補助吸収体）が存在しておらず、股間部分から尿が染みだすおそれがある。
【０００９】
更に、特許文献３に記載されたおむつは、補助吸収体を外側から取り付けるが、股間は狭くかつ、取り付け時に補助吸収体の一部を開口部内に入れるため取り付け難い。また、取り付けても開孔部周縁は濡れて不衛生になるだけではなく、開口部の隙間から尿が染み出すおそれがあるという問題がある。更に、外側から尿取りパッドを取り付けると衣服との摩擦でずれかつ、股間部は撚れ易いという問題もある。
【００１０】
特許文献４に記載されたおむつ（吸収性物品）は、外装吸収部を補助具の外側から取り付けるため取り替えは容易であるが、尿は、補助具の吸収体を通して外装吸収部に吸収されるため、外装吸収部体を取り替えても吸収体は尿が付着したままの状態となり不衛生になるという問題がある。
更に、排尿があった場合に、補助具の吸収体と外装吸収部の両方が濡れるために、その両方を交換しなければならないので不経済である。
【特許文献１】特開平９−９５８０４号公報
【特許文献２】特表２００２−５０９４６１号公報
【特許文献３】特開２００３−３０５０８０号公報
【特許文献４】特願２００２−３５１７７０号公報
【発明の開示】
【発明が解決しようとする課題】
【００１１】
本発明は、従来の補助吸収体又は吸収性パッドと組み合わせたおむつ等の吸収性物品が有する前記問題を解決するためになされたものであって、その目的は、吸収性物品のおむつや下着など着用者の下腹部を直接包むもの（ここでは外包体という）の股間部の開口部に、外包体の外側から吸収性パッドを取付できるようにしてその取り替えを容易にし、同時に、前記開口縁部からの尿などの漏れや滲みを完全に防止し、かつ衣服との摩擦があってもずれ難く、撚れないようにしっかりと外包体に取付できるようにすることである。
【課題を解決するための手段】
【００１２】
請求項１の発明は、着用者の腹側に位置する腹側部と、背側に位置する背側部と、腹側部と背側部間で着用者の股下に位置する股下部とを備え、かつ該股下部に開口部を有する外包体と、前記開口部を外包体の外側から覆うよう前記外包体に取り外し自在に装着する吸収性パッドとからなる吸収性物品であって、前記吸収性パッドはその長手方向両側部にウイングを有し、該ウイングを外包体の脚開孔部から股下側に折り返し、前記ウイングの折り返し部分を外包体内面に取付したことを特徴とする吸収性物品である。
請求項２の発明は、着用者の腹側に位置する腹側部と、背側に位置する背側部と、腹側部と背側部間で着用者の股下に位置する股下部とを備え、かつ該股下部に開口部を有する外包体と、前記開口部を外側から覆うよう前記外包体に取り外し自在に取付する吸収性パッドとからなる吸収性物品であって、前記開口部とは別の開口部を有するセンターシートを、ウイングを備えた外包体外面に対し、前記各開口位置を合わせかつセンターシートの両側端側に少なくとも前記ウイングの取付面を残して接合し、前記ウイング先端縁を前記センターシート端縁で折り返し、該折り返し部分を前記センターシート内面に取り付けたことを特徴とする吸収性物品である。
請求項３の発明は、請求項１又は２に記載された吸収性物品において、
前記吸収性パッドの液吸収面側と同じ側の前記ウイング面に取付手段を備えたことを特徴とする吸収性物品である。
請求項４の発明は、請求項１ないし３のいずれかに記載された吸収性物品において、前記吸収性パッド表面に取付手段を備えたことを特徴とする。
請求項５の発明は、請求項４に記載された吸収性物品において、前記外包体の外面に吸収性パッドの表面に設けた前記取付手段と接合するための取付手段を備えたことを特徴とする。
請求項６の発明は、請求項４に記載された吸収性物品において、
前記センターシートの外面に吸収性パッドの表面に設けた前記取付手段と接合するための取付手段を備えたことを特徴とする。
請求項７の発明は、請求項１ないし６のいずれかに記載された吸収性物品において、前記ウイングは伸縮性を有することを特徴とする。
請求項８の発明は、請求項１ないし７のいずれかに記載された吸収性物品において、前記ウイングは吸収性パッドの長手方向両側面に設けられたそれぞれ複数のウイングからなることを特徴とする。
請求項９の発明は、請求項１ないし８のいずれかに記載された吸収性物品において、前記吸収性パッドの裏面シート側に排泄物の水分が吸収されたことを表示する表示手段を備えたことを特徴とする。
【発明の効果】
【００１３】
本発明によれば、吸収性パッドを外包体の外側から着脱できるようにしたため、取り替えが容易に行えるだけではなく、外包体に対してウイングによって取り付けることから、衣服との摩擦があってもずれ難くみだりにずれたり捩れたりすることなくしっかりと取付可能であると共に、外包体の股間部の開孔縁からの尿などの漏れや滲みを完全に防止できる。
また、ウイングに伸縮性を持たせることで、外包体との一体感に優れた吸収性パッドとすることができ、更に、ウイングを複数の小ウイングで構成することにより、装着し易くかつ外れ難くすることができる。
【発明を実施するための最良の形態】
【００１４】
以下、本発明の吸収性物品の１実施形態である使い捨ておむつについて図面を参照して説明する。
図１は、使い捨ておむつ本体の着用状態における正面図、図２は外包体の一実施形態である使い捨ておむつを示し、図２Ａはその使い捨ておむつ本体の展開平面図、図２Ｂは図２ＡのＸ−Ｘ線に沿った断面図である。
本実施形態に係る使い捨ておむつ１０は、図１に示すように、使い捨ておむつ本体２０と、使い捨ておむつ本体２０の股間部に外側から着脱自在に取り付けられる吸収性パッドである尿取りパッド３０とからなっている。
尿取りパッド３０は、使い捨ておむつ本体２０の裏面シートの外面に、粘着剤、ファスナテープ等により取り付けられ、かつ後述するように、そのパッド本体の両側面に備えたウイングを折り返して使い捨ておむつ本体２０に取付して、使い捨ておむつ本体２０の股下開口部２２部分を覆うようにその外側から装着される。
【００１５】
使い捨ておむつ本体２０は、図２に示すように、着用時に着用者の腹側に位置する腹側部Ａと、着用者の背側に位置する背側部Ｂと、腹側部Ａと背側部Ｂとの間に位置し、着用持に着用者の股下部に位置する股下部Ｃとからなり、腹側部Ａと背側部Ｂそれぞれの両側部同士が接合手段により相互に接合されて、ウエスト開口部及び一対のレッグ開口部が形成される。股下部Ｃは、その両側縁部が、前記レッグ開口部の開口縁部２４を構成すると共に、開口部２２がその長手方向略中央に形成されている。
【００１６】
前記腹側部Ａ、背側部B及び股下部Ｃは、図２Ｂに示すようにそれぞれ液透過性の表面シート２５、液不透過性の裏面シート２６及び両シート間に介在された液保持性の吸収体２８を備えている。ここで、表面シート２５及び裏面シート２６は、吸収体２８の周縁部において互いに接合されており、吸収体２８は、表面シートと裏面シートとの間に挟持固定されている。
【００１７】
また、尿取りパッド３０は、平面視略矩形をなし、以下で述べるように前記おむつ本体と同様に表面シート及び裏面シートと両シート間に挟持された吸収体からなっている。
【００１８】
図３は、尿取りパッド３０の一実施形態を示す平面図である。
尿取りパッド３０は、図中、上下端が丸みを帯びた全体が略矩形状をなした尿取りパッド本体３２と、尿取りパッド本体３２の長手方向中央部の左右側に、その長手方向全長の半分以上の長さで一体に形成された取り付け用ウイング３４からなっている。
尿取りパッド本体３２は、その少なくとも長手方向両端縁部に、尿取りパッド３０を使い捨ておむつ本体２０に装着する際に、その裏面シート２６外面に取付できるように取付部３９を備え、かつ、ウイングの左右両端部には、おむつ本体２０の内面側に取付するための取付部３８が形成されている。
【００１９】
図４Ａ〜図４Ｄは、図３におけるＸ−Ｘ線に沿った尿取りパッド本体３２の典型的な断面構成を模式的に示した図である。
これらの図から明らかなように、尿取りパッド本体３２は、液透過性の表面シート３５と、液不透過性の裏面シート３６、及び表面シート３５及び裏面シート３６間に配置される吸収体３７からなっており、具体的には、図５に示すように吸収剤３７ａを型くずれしないように例えば薄葉紙からなる台紙３７ｂで包んで形成した吸収体３７を、表面シート３５と裏面シート３６で封止した構成であり、前記表面シート３５、及び裏面シート３６、吸収体３７は、従来の使い捨ておむつや生理用ナプキン等の吸収性物品において用いられている液透過性の表面シート、液不透過性の裏面シート及び吸収体をそのまま用いることができる。
【００２０】
取り付け用ウイング３４は、前記表面シート３５と裏面シート３６を延長して形成することができるが、これに限らず、表面シート３５又は裏面シート３６のいずれかのみを延長して形成したもの、或いは別途形成したウイング３４をパッド本体３２に、接着剤等により接合して一体化したものでもよい。
【００２１】
ここで、図４Ａに示す第１の実施形態の尿取りパッド３０では、そのウイング３４のその尿取りパッド３０の液吸収面と同じ面側に配置された表面シート３５の左右両端部に、取付部３８として、例えば感圧接着剤等の粘着層３８ａが形成されている。
図４Ｂに示す第２の実施形態の尿取りパッド３０では、図４Ａに示す尿取りパッド３０の粘着層３８ａに代えて、例えばフックやループからなるメカニカルファスナー（面ファスナー）から成る接合手段３８ｂが設けられており、これに対応して設けられた使い捨ておむつ本体側の後述する面ファスナーと係合するようになっている。
【００２２】
図４Ｃに示す第３の実施形態の尿取りパッド３０では、図４Ａに示す尿取りパッド３０の本体３２の両側部の表面シート３５上にも取付手段としての粘着層３８ａが形成されており、その他の構成は図４Ａに示すものと同様である。
図４Ｄは、図４Ａに示す尿取りパッド３０の本体３２の両側部の表面シート３５に面ファスナー３９ｂを設けたものであって、その他の構成は図４Ａに示すものと同様である。
なお、粘着層と面ファスナーの組み合わせは任意であり、上記実施形態に限るものではない。
【００２３】
図６は、このような構造の尿取りパッド３０を装着した状態における使い捨ておむつを模式的に示した図であり、図６Ａはその正面図、図６Ｂは底面図、図６Ｃは断面構造を説明するための図である。なお、図６Ｃに示してはいないが、実際にはシート２５とシート２６との間でその略全面にわたってホットメルト型接着剤を塗布して、弾性部材１２も一緒に固定している。
尿取りパッド３０は、１例として図示のように図４Ｄに示す形態であって、使い捨ておむつ本体２０の股下部Ｃに形成された開口部２２を覆うように、使い捨ておむつ本体２０の外側から当接して、パッド本体３２の表面シート３５上に設けた前記取付手段３９の面ファスナー３９ｂを、これに対応して使い捨ておむつ本体２０の裏面シート２６外面に設けた面ファスナー２９に係合する。
また、ウイング３４を使い捨ておむつ本体２０の脚開孔部ＣＬから、矢印Ｔ（図６Ｂ）に示すように内側に折り返して使い捨ておむつ本体２０内入れ、ウイング３４端縁に設けた粘着層３８ａを使い捨ておむつ本体２０内側の表面シート２５の表面に当て、軽く押すことで前記表面に接合し、尿取りパッド３０の前記おむつ本体２０への取付を完了する。
【００２４】
このように、尿取りパッド３０を使い捨ておむつ本体２０に取り付けることで、尿取りパッドは使い捨ておむつ本体２０にしっかりと固定され、妄りにずれたり撚れたりすることがなく、また、開口部２２縁部からの漏れ等も完全に防止できる。また、前記尿取りパッド３０の取り替えに際しては、前記ウイング３４を使い捨ておむつ本体２０内側の表面シート２５及び裏面シート２６から引き剥がすだけで容易に外すことができる。
【００２５】
図７は、尿取りパッドを別の実施形態に係る使い捨ておむつ本体２０について示した図６と同様の図であり、図７Ａはその正面図、図７Ｂは底面図、図７Ｃはその断面を説明するための図である。
この使い捨ておむつ本体２０には、その長手方向全体に亘り、その幅方向中央部に前記尿取りパッド３０の横幅よりも広い幅を有するセンターシート２０ｃがその長手方向全長にわたって設けられている。
このセンターシート２０ｃは、使い捨ておむつ本体２０の前記開口部２２に対応して、それに略等しいか又はより大きな開口部２０ｄを有すると共に、その巾方向端部から所定の距離だけ内側で使い捨ておむつ本体２０の外面に接着剤等の任意の手段で接合された接合部２１を有し、前記所定距離の幅の吸収性パッドのウイング３４の取付面を提供している。
なお、接合部２１に用いる接着剤は、フラップ３４を挿入して固着し易いように厚く、かつファスナー２９の幅の全域をカバーするように形成するのがよい。また、センターシート２０ｃは、必ずしも前記おむつ本体２０の長手方向全長にわたって取り付ける必要はなく、要は、尿取りパッド３０の取り付けが可能な長さであればよい。
【００２６】
尿取りパッド３０は、その第１の実施形態と同様に使い捨ておむつ本体２０の股下部Ｃに形成された開口部２２、２０ｄを覆うように、使い捨ておむつ本体２０の外側から当接され、尿取りパッド３０の本体３２の表面シート３５に設けた面ファスナー３９ｂを、前記センターシート２０ｃ外面に設けた面ファスナー２９に係合し、かつウイング３４端部を使い捨ておむつ本体２０の前記センターシート２０ｃ端部から矢印Ｔ（図７Ｂ）で示すように内側に折り返して、前記センターシート２０ｃと使い捨ておむつ本体２０の裏面シート３６の外面間に挿入し、ウイング３４端縁に沿って設けた感圧接着剤３８ａを前記センターシート２０ｃの裏面に接合する。
なお、前記センターシート２０ｃと外面に設けた面ファスナー２９は、接合部２１と重なる位置に設けられると、脱着がし易くなる点で好ましい。また、ウイングの取付部３８は、要は折り返したウイング部分が固着できる位置であればよく、従ってその端部以外の他の部分でもよい。
この実施形態では、着用者は直接尿取りパッド３０のウイング３４と直接接触することがないから、尿取りパッド３０を意識せずにおむつの自然な着用感が得られる。
【００２７】
図８は、尿取りパッドの第２の実施形態を示す。
この尿取りパッド３０’は、伸縮性を備えたウイング（フラップ）３２’をその側面全長に亘って備えており、そのウイング３４’は、例えば伸張状態の弾性部材３４’ａをウイング３４’に沿って配置することでギャザー３４’ｂが形成され、伸縮性が付与されている。その他の構成は、実質的に第１の実施形態のものと同じである。ウイングを伸縮性とすることで、使い捨ておむつ本体２０又はセンターシート２０ｃによく馴染み、より一体化するから妄りに外れたりずれたりすることがないことに加え自然な装着感が得られる。なお、この第２の実施形態に係る尿取りパッド３０’のウイング３４’の巾を調整することで、それを前記第１の実施形態の使い捨ておむつ本体２０に取り付けることも当然可能である。
【００２８】
図９は尿取りパッドの第３の実施形態を示す。
この尿取りパッド３０”は、ウイング３４”が複数の小ウイング３４”Ｃに分割されており、各ウイング３４”Ｃの側端部に粘着層或いは面ファスナーからなる取付部が形成されている。その他の構成は第１の実施形態のものと同様である。この尿取りパッド３０”は、ウイング３４”Ｃが細かく分かれているために、一つ一つ止着する手間が掛かるが、ここのウイング３４”Ｃは取り付けをきめ細かく行うことができ、使い捨ておむつの取り付け部外観形状に沿い易いため取り付け易く、かつ例えば、一部のウイング３４”Ｃが外れても安定した固定ができる利点がある。
その他、ウイングの形状としては、ウイングを開いた状態でパッドの平面形状が略円形或いは楕円形等上述のもの以外の形状も任意に選択可能である。
【００２９】
次に、以上で説明した使い捨ておむつが備える取り替えサイン機能について説明する。
この使い捨ておむつは、尿等の排泄物が尿取りパッドに吸収され取り替え時期であることを表示するようにしている。
取り替え時期表示手段は、それ自体公知又は周知のものであって、例えば本出願人が特開平１１−４８５２号公報で開示した構成を用いることができる。即ち、酸性組成物およびｐＨの変化によって色が変化する呈色指示薬を用い、尿取りパッド３０の裏面シート３６に、水に融解するとアルカリ性を呈する水溶性化合物を含んだシート材料を用いて、このシート材料中の水溶性化合物と水が接触してアルカリ性となり、この水が前記親水性組成物と接触することで親水性組成物の色を変化させるようにして、その色の変化から尿取りパッドの取り替え時期を表示するようにすることができる。その際、シート材料に上記親水性物質を直接塗布しても、或いは上記シート材料と上記親水性物質の間に親水性シートを介在させたものでもよい。
【００３０】
このように、尿取りパッドに取り替えサイン機能を与えることにより、尿取りパッドが尿又は体液を所定量以上吸収したときは、その取り替えサインの色の変化を目視することができるから、尿取りパッドの取り替え時期を知ることができる。
外包体は、レッグギャザー用の弾性部材１２のみを図６Ｃ及び図７Ｃに図示しているが、脚部からのもれを防ぐため、立体ギャザーを別途形成しても良い。この場合、吸収性パッドのウイングは、立体ギャザーにかからない程度の長さにしておくことが好ましい。また、センターシートを用いた場合でも、同様に立体ギャザーを形成することができ、この場合、吸収性パッドのウイングは、立体ギャザーの効果を阻害しない利点がある。
前記センターシートは、一枚のシートから形成されていなくてもよく、２枚のシートが組み合わされて開口を形成したもの、２枚のシートが離間して、開口部が切断され開口状に成っていてもよい。また、吸収性パッドには、面ファスナーが付けられていなくとも、おむつ本体に取り付けられた面ファスナーがフック材であればよいように、表面シートやウイング材に面ファスナーのメス材としての機能を持たせたものでも良く、肌に優しい利点がある。
【００３１】
次に、以上で説明した前記使い捨ておむつ本体２０を製造する一方法について説明する。
この使い捨ておむつ本体２０は、基本的には、例えば特開平６−１２１８１１号公報に記載された従来方法で製造することができる。なお、尿取りパッド３０の使い捨ておむつ本体２０と共通する構成部分は、使い捨ておむつ本体と同じ方法で製造することができる。
即ち、図１０は、連続例えばポリエチレンウエブ４５を切断して表面シート及び裏面シートとなる各ストリップを形成する切断工程を示す。この工程では、アンビルロール５０と対向して突出したカッティングエッジ４８を備えたカッターロール４６で連続ポリエチレンウエブ４５を表面シートとなるストリップ４５ａ、４５ｂに切断する。その際、カッティングエッジ４８の形状は、尿取りパッドでは、尿取りパッド３０の両側面に形成させるウイング３４，３４の片側をそれぞれストリップ４５ａ、４５ｂに形成されるように、例えば図９に示すような台形形状や、正弦波（図示せず）等の周期形状となるように、ロール４６上の切断模様で形成する。
【００３２】
図１１は、切断工程で切断されたストリップ４５ａ、４５ｂを組み立て直して複合ウエブとする工程を示している。ここでは、切断したストリップの一方のストリップ４５ａをロール５２，５４，５６及び５８の配置により他方のストリップ４５ｂに対してコンベアー面の上方に移動させる。また、それと同時に、図１２に示すように、ストリップ４５ａを横方向に移動し、平面視でストリップ４５ｂを横切り、ストリップ４５ａをコンベアー面に下降させて他方のストリップ４５ｂと接触させた時に、両ストリップ４５ａ、４５ｂの切断端と反対側の直線の端が互いに隣接するようにし、かつストリップ４５ｂの横の移動は、ストリップが部分的に重なった関係となるように制御する。更に、各ストリップ４５ａ、４５ｂに形成した３４、３４の半周期分の位置ずれを、ストリップ４５ａとストリップ４５ｂとの移動距離の差により制御する。
【００３３】
再び図１１において、接着剤噴射ノズル６０は、ストリップ４５ａとストリップ４５ｂが重る端部分に接着剤を塗布する。ロール５８の下に裏打ちロール６１があり、ニップを形成し、ストリップ４５ａ及び４５ｂの重なる部分で接着剤を押して密接に接触させ、強力な接着を行う。或いは、接着剤に代えてストリップ４５ａ、４５ｂを加熱ロールで熱接合することもできる。
【００３４】
図１３は、組み立て工程を示す。カッティングロール７２は、複合ウエブに開孔部２２を形成するために用いる。
ここでは、同一の形状の液体透過性材料でできたウエブ状の表面シート（複合ウエブ）Ｆ２を、液不透過性材料でできたウエブ状の裏面シート（複合ウエブ）Ｆ１と位置を合わせて重ねる。その後、加熱された回転シールロール７０間の押圧により、表面シートと裏面シートとを接合させる。その後、カッティングロール７２を回転させながら開孔部２２を形成させる。
【００３５】
図面１４に示す封止工程は、組み立て工程の下流に位置し、複合ウエブＦ１及びＦ２を開口部２２のまわりで封止し、連続した積層封止ウェブＦ３を形成する。
複合ウエブＦ１及びＦ２間の接着は、組み立て工程及び封止工程（図示せず）の間で接着剤により、又は熱接着により行うことができる。
【００３６】
このように封止ウエブＦ３は、続いて、開口部２２が形成されたところを略中央部とし、長手方向に沿ってカッティングロール等の適当な手段で封止ウエブＦ３を隣接する開口部２２の間で切断して使い捨ておむつ本体２０を得ることができる。
【００３７】
なお、以上の工程において、吸収体２４を開口部２２の周縁部、又は略全面で裏面シートと表面シートとの間に挟持して接合してもよい。この場合、使い捨ておむつ本体自体に吸収性を持たせることで、吸収物品としては、尿取りパッドで不足する吸収性を確保することができる。
【００３８】
以上で説明した使い捨ておむつ本体の製造方法は、いわゆるトリムレスの場合であるが、それ以外の方法として、左右２つのシートを中央部で合わせその後、レッグ部を取り除くようにした製法でもよいことはもちろんである。
【図面の簡単な説明】
【００３９】
【図１】本発明の外方体の１実施形態を示す展開図である。
【図２】本発明の１実施形態である使い捨ておむつの正面図である。
【図３】尿取りパッドの平面図である。
【図４】尿取りパッドの断面を概略的に示した断面図である。
【図５】使い捨ておむつ本体に用いる吸収体の断面図である。
【図６】図６Ａは、第１の実施形態に係る使い捨ておむつ本体と吸収性パッドとを組み合わせた状態の使い捨ておむつの正面図、図６Ｂはその底面図、図６Ｃはその断面を模式的に示した断面図である。
【図７】図７Ａは、第２の実施形態に係る使い捨ておむつ本体と補助吸収体とを組み合わせた状態の使い捨ておむつの正面図、図７Ｂはその底面図、図７Ｃはその断面を模式的に示した断面図である。
【図８】第２の実施形態の尿取りパッドの平面図である。
【図９】第３の実施形態に係る尿取りパッドの平面図である。
【図１０】使い捨ておむつ本体製造工程におけるウエブ切断工程を説明するための図である。
【図１１】同、切断したウエブの整合工程を説明するための図である。
【図１２】同、切断したウエブの整合工程を説明するための他の図である。
【図１３】同、組立工程を説明するための図である。
【図１４】同、封止工程を説明するための図である。
【図１５】従来のおむつの取り替えを説明する図である。
【符号の説明】
【００４０】
１０・・・吸収性物品、２０・・・外包体、２２・・・開口部、２８・・・吸収体、３０・・・尿取りパッド、３１・・・取付部、３２・・・パッド本体、３４・・・ウイング、３５・・・表面シート、３６・・・裏面シート、３７・・・吸収体、３８・・・取付部。
【図１】
2006102321.tif 000003
【図２】
2006102321.tif 000004
【図３】
2006102321.tif 000005
【図４】
2006102321.tif 000006
【図５】
2006102321.tif 000007
【図６】
2006102321.tif 000008
【図７】
2006102321.tif 000009
【図８】
2006102321.tif 000010
【図９】
2006102321.tif 000011
【図１０】
2006102321.tif 000012
【図１１】
2006102321.tif 000013
【図１２】
2006102321.tif 000014
【図１３】
2006102321.tif 000015
【図１４】
2006102321.tif 000016
【図１５】
2006102321.tif 000017